(57)【要約】【課題】カバーをランプ取付用アダプタに容易に取り付けることができ、施工性を向上できる照明器具を提供する。【解決手段】ランプ取付用アダプタ22の外周面に沿って雄ねじ48を形成する。カバー23には、径方向外側に弾性変形可能とする複数の取付片97を設ける。これら取付片97に、ランプ取付用アダプタ22の雄ねじ48に螺合する雌ねじ100を設ける。カバー23の取付片97をランプ取付用アダプタ22の周囲にあてがい、カバー23を押し上げることにより、取付片97が広がりながら、雌ねじ100がランプ取付用アダプタ22の雄ねじ48に嵌り込む。【選択図】図１
2011154888.tif 000002
【特許請求の範囲】
【請求項１】
上部が引掛シーリングに着脱可能に取り付けられ、下部にランプが着脱可能に取り付けられ、外周面に沿って雄ねじが形成されたランプ取付用アダプタと；
ランプ取付用アダプタの雄ねじに螺合する雌ねじが設けられた複数の取付片を有し、これら取付片が径方向外側に弾性変位可能とするカバーと；
を具備していることを特徴とする照明器具。
【請求項２】
複数の取付片の雌ねじは、ランプ取付用アダプタの雄ねじの高さ方向に異なるピッチの位置のねじ山にそれぞれ螺合するように高さ方向に異なるピッチの位置に設けられている
ことを特徴とする請求項１記載の照明器具。
【請求項３】
ランプ取付用アダプタの雄ねじは、上側の面が水平な断面形状のねじ山に形成されている
ことを特徴とする請求項１または２記載の照明器具。
【発明の詳細な説明】
【技術分野】
【０００１】
本発明は、引掛シーリングに取り付けられる照明器具に関する。
【背景技術】
【０００２】
従来、天井に設置された引掛シーリングを利用して、例えばＧＸ５３形の口金を有するランプを取り付けられるようするランプ取付用アダプタがある。
【０００３】
このランプ取付用アダプタは、円盤状で、上面には引掛シーリングに機械的および電気的に取り付けられる一対の引掛爪が突設され、下面にはランプの口金が取り付けられるソケットが形成されている（例えば、特許文献１参照。）。
【先行技術文献】
【特許文献】
【０００４】
【特許文献１】特開２００８−５３０５８号公報（第４頁、図１）
【発明の概要】
【発明が解決しようとする課題】
【０００５】
上述のように、引掛シーリングにランプ取付用アダプタを介してランプを取り付ける場合、引掛シーリングおよびランプ取付用アダプタの周囲が露出して外観が損なわれるため、これら引掛シーリングおよびランプ取付用アダプタの周囲を覆うカバーを用いることが考えられる。
【０００６】
このカバーを用いるために、カバーをランプ取付用アダプタに取り付けるとした場合、ねじ止めや、カバーをランプ取付用アダプタの周囲に螺合して取り付けることが考えられるが、これらの取り付け方でカバーを取り付けるには手間がかかり、手間のかかる作業を脚立などに登って高所で行わなければならず、施工性が悪い問題がある。
【０００７】
本発明は、このような点に鑑みなされたもので、カバーをランプ取付用アダプタに容易に取り付けることができ、施工性を向上できる照明器具を提供することを目的とする。
【課題を解決するための手段】
【０００８】
請求項１記載の照明器具は、上部が引掛シーリングに着脱可能に取り付けられ、下部にランプが着脱可能に取り付けられ、外周面に沿って雄ねじが形成されたランプ取付用アダプタと；ランプ取付用アダプタの雄ねじに螺合する雌ねじが設けられた複数の取付片を有し、これら取付片が径方向外側に弾性変位可能とするカバーと；を具備しているものである。
【０００９】
引掛シーリングは、例えば、埋込形、角形および丸形などのいずれの種類でもよい。
【００１０】
ランプは、例えば、ＧＸ５３形の口金やＥ形の口金などを用いたいずれの種類でもよい。ランプの光源としては、ＬＥＤやＥＬなどの半導体発光素子、あるいは蛍光管などのいずれの種類でもよい。
【００１１】
ランプ取付用アダプタの雄ねじは、ランプ取付用アダプタの外周面の全周に連続して設けられていてもよいし、ランプ取付用アダプタの外周面の一部分において設けられなくてもよい。
【００１２】
カバーは、例えば、弾性変形可能な樹脂などで円筒状に形成され、引掛シーリングおよびランプ取付用アダプタの周囲を覆えればよい。
【００１３】
カバーの取付片は、少なくとも円周方向の互いに対向する箇所に２つ設けられていれば、ランプ取付用アダプタに対して取り付けることができるが、好ましくは、３つ設けることによってランプ取付用アダプタに対する取り付けが安定し、３つよりも多く設けることによってランプ取付用アダプタに対する取り付けがより安定する。
【００１４】
取付片の雌ねじは、少なくとも１ピッチ分があればよいが、数ピッチ分あってもよい。
【００１５】
請求項２記載の照明器具は、請求項１記載の照明器具において、複数の取付片の雌ねじは、ランプ取付用アダプタの雄ねじの高さ方向に異なるピッチの位置のねじ山にそれぞれ螺合するように高さ方向に異なるピッチの位置に設けられているものである。
【００１６】
複数の取付片の雌ねじの全てが高さ方向に異なるピッチの位置に設けられていてもよいし、複数の取付片のうち、高さ方向に異なるピッチの位置に設けられる取付片が複数組ずつあってもよい。
【００１７】
請求項３記載の照明器具は、請求項１または２記載の照明器具において、ランプ取付用アダプタの雄ねじは、上側の面が水平な断面形状のねじ山に形成されているものである。
【００１８】
雄ねじの上側の面は、絶対的な水平でもよいし、絶対的な水平でなくても、通常のねじ山の上側の面よりも水平に近ければよい。
【発明の効果】
【００１９】
請求項１記載の照明器具によれば、カバーは、ランプ取付用アダプタの雄ねじに螺合する雌ねじが設けられた複数の取付片を有し、これら取付片が径方向外側に弾性変位可能とするため、引掛シーリングに取り付けられたランプ取付用アダプタに対してカバーを押し上げるだけで、複数の取付片が押し広げられながら雌ねじがランプ取付用アダプタの雄ねじに螺合でき、カバーのワンタッチ取付が可能となり、施工性を向上できる。
【００２０】
請求項２記載の照明器具によれば、請求項１記載の照明器具の効果に加えて、複数の取付片の雌ねじが、ランプ取付用アダプタの雄ねじの高さ方向に異なるピッチの位置のねじ山にそれぞれ螺合するように高さ方向に異なるピッチの位置に設けているため、振動などの影響でカバーがランプ取付用アダプタに対して螺合が緩む方向に回動するのを防止でき、さらに、カバーを押し上げてランプ取付用アダプタに取り付ける際に比較的軽い力で操作でき、設置面からの高さの異なる種類の引掛シーリングに取り付けられるランプ取付用アダプタの雄ねじに対して少なくともいずれかの取付片の雌ねじを確実に螺合させることができる。
【００２１】
請求項３記載の照明器具によれば、請求項１または２記載の照明器具の効果に加えて、ランプ取付用アダプタの雄ねじを上側の面が水平な断面形状のねじ山で形成しているため、カバーの雌ねじが外れにくく、カバーを確実に保持できる。
【図面の簡単な説明】
【００２２】
【図１】本発明の第１の実施の形態を示す照明器具のランプ取付用アダプタおよびカバーの斜視図である。
【図２】同上照明器具の断面図である。
【図３】同上照明器具の分解斜視図である。
【図４】本発明の第２の実施の形態を示す照明器具のランプ取付用アダプタとカバーとの螺合部分の断面図である。
【図５】本発明の第３の実施の形態を示す照明器具のカバーの斜視図である。
【図６】同上照明器具のランプ取付用アダプタとカバーとの螺合部分を(a)〜(c)に示す断面図である。
【発明を実施するための形態】
【００２３】
以下、本発明の実施の形態を、図面を参照して説明する。
【００２４】
図１ないし図３に第１の実施の形態を示す。
【００２５】
図２および図３において、11は照明器具で、この照明器具11は、天井面などの設置面12に予め設置されている引掛シーリング13に取り付けられる。
【００２６】
引掛シーリング13は、設置面12からの高さが低い円盤状の埋込形引掛シーリングであり、下面には引掛シーリング13の中心に対して対称位置に一対の接続孔15が形成されている。これら接続孔15は、引掛シーリング13の中心に対して同一円周上に沿って円弧状の長孔に形成され、一端には孔幅の広い幅広部が形成されている。各接続孔15の内側には、引掛シーリング13に配線されている電源線が接続されている図示しない一対の端子が配置されている。
【００２７】
そして、照明器具11は、ＧＸ５３形口金を用いたフラット形のランプ21を使用するもので、このランプ21を引掛シーリング13に取り付けるランプ取付用アダプタ22と、引掛シーリング13、ランプ取付用アダプタ22およびランプ21を覆ってランプ取付用アダプタ22に取り付けられるカバー23とを備えている。
【００２８】
ランプ21は、円盤状のランプ本体26を備え、このランプ本体26の一面側である上面側にＧＸ５３形の口金27が設けられ、ランプ本体26の他面側である下面側に半導体発光素子としてのＬＥＤを有する図示しない発光モジュールが配設されているとともにこの発光モジュールを覆う透光性カバー28が配設されており、ランプ本体26の内部に口金27から電力供給を受けてＬＥＤを点灯させる図示しない点灯回路が内蔵されている。
【００２９】
ランプ本体26は、例えば金属製で、周囲には複数の放熱フィン29が設けられている。
【００３０】
口金27の上面中央部には円形の突出部30が突設され、上面周辺部でランプ21の中心に対して対称位置に一対のランプピン31が突設されている。各ランプピン31の先端部には径大部32が形成されている。
【００３１】
透光性カバー28は、合成樹脂製やガラス製で、透光性および拡散性を有しており、ＬＥＤの光軸方向に対向する円板状の前面部28a、およびこの前面部28aの周辺部に配置される環状の側面部28bを有し、これら前面部28aおよび側面部28bが光を放出する発光部33として構成されている。
【００３２】
次に、図１ないし図３に示すように、ランプ取付用アダプタ22は、円筒状のアダプタ本体36、このアダプタ本体36の上部側に設けられる引掛シーリング取付部37、およびアダプタ本体36の下部側に設けられるソケット部38を備えている。
【００３３】
アダプタ本体36は、絶縁性を有する合成樹脂製で、円筒状の周壁41、およびこの周壁41の内側で上下方向の中間部に設けられた仕切壁42を備え、仕切壁42の上側に引掛シーリング取付部37を収納する上側収納部43が形成され、仕切壁42の下側にソケット部38を収納する下側収納部44が形成されている。
【００３４】
アダプタ本体36の外周面の一部に解除操作部45が形成され、この解除操作部45には、上側収納部43の側部位置に周壁41が切り欠かれて開口する切欠部46が形成され、この切欠部46の下側であって下側収納部44の側部位置にアダプタ本体36の外周面下端から切欠部46へ向けて傾斜する傾斜面47が形成されている。
【００３５】
アダプタ本体36の外周面には、解除操作部45を除いて、そのアダプタ本体36の外周面に沿って螺旋状の雄ねじ48のねじ山49が形成されている。雄ねじ48の外周面の１箇所または複数箇所には、ねじ山49の一部を平坦状に切り欠いた平坦部50が形成されている。
【００３６】
また、引掛シーリング取付部37は、絶縁性を有する合成樹脂製の引掛シーリング取付部本体61を備え、この引掛シーリング取付部本体61に、アダプタ本体36の上面を閉塞する円板状の上面部62、およびこの上面部62の周縁から下方へ突出してアダプタ本体36の周壁41の内側に配置されるとともに仕切壁42に当接する側面部63が形成されている。引掛シーリング取付部本体61は、アダプタ本体36の下側収納部44から仕切壁42を挿通するねじでアダプタ本体36にねじ止め固定されている。
【００３７】
上面部62の中央には引掛シーリングキャップ部66が設けられている。この引掛シーリングキャップ部66には、引掛シーリング取付部37の中心に対して対称位置に略Ｌ字形の一対の引掛爪67が突設されている。一方の引掛爪67の側部には、引掛シーリングキャップ部66に内蔵されたロック機構68のロック爪69が出没可能に配置されているとともに図示しないスプリングなどの付勢部材で突出方向に付勢されている。ロック機構68は、ロック爪69を付勢に抗して強制的に埋没させる解除ボタン70を備えている。なお、引掛シーリングキャップ部66は、既存の引掛シーリングキャップを用いて引掛シーリング取付部本体61に組み込んでもよいし、引掛爪67やロック機構68を引掛シーリング取付部本体61に組み込んで構成してもよい。
【００３８】
側面部63の一部には、アダプタ本体36の解除操作部45の切欠部46に対向配置される溝部71が形成され、この溝部71に解除ボタン70が配置されている。
【００３９】
また、ソケット部38は、ＧＸ５３形口金の接続に対応しているもので、絶縁性を有する合成樹脂製のソケット部本体81を備え、このソケット部本体81に、アダプタ本体36の下面に配置される環状の下面部82、およびこの下面部82の内周縁から上方へ突出する筒部83が形成されている。この筒部83の内側に、ソケット部38に取り付けられるランプ21の口金27の突出部30が嵌り込む。
【００４０】
下面部82には、ソケット部38の中心に対して対称位置に、ランプ21のランプピン31が接続される一対の接続孔84が形成されている。これら接続孔84は、引掛シーリング13の中心に対して同一円周上に沿って円弧状の長孔に形成され、一端には孔幅の広い幅広部が形成されている。各接続孔84の内側には、ランプ21のランプピン31が電気的に接続される図示しない端子が配置されている。各接続孔84の上方つまり下面部82の上側には端子収納部85が形成され、この端子収納部85内にランプ21のランプピン31が電気的に接続される一対の端子が収納されている。
【００４１】
下面部82の上面には、アダプタ本体36にソケット部本体81をねじ止めするためのねじを通すねじ挿通孔87を有するボス88が設けられている。
【００４２】
なお、引掛シーリング取付部37の一対の引掛爪67とソケット部38の一対の端子とは、アダプタ本体36内に配線される図示しない電線で電気的に接続されている。
【００４３】
次に、カバー23は、例えば、絶縁性を有する合成樹脂製で、円筒状の外側カバー91、この外側カバー91の内側に配置される円筒状の内側カバー92を備え、これら外側カバー91の下端と内側カバー92の下端とが環状の下面カバー93で連結されている。
【００４４】
外側カバー91の上端には、カバー23の施工時に、設置面12に当接される当接面が形成されている。
【００４５】
内側カバー92の下部側には下方へ向けて拡開されてランプ21を収容する筒状の反射面部94が形成され、内側カバー92の上部側にはランプ取付用アダプタ22の周囲に嵌合される円筒状の嵌合部95が形成されている。
【００４６】
嵌合部95には、複数のスリット96により周方向に沿って分離された複数の取付片97が形成されており、各取付片97がそれぞれ径方向外側に弾性変形可能とされている。本実施の形態では、嵌合部95を６つのスリット96によって等間隔に分断され、６つの取付片97が形成されている。
【００４７】
スリット96の上端は内側カバー92の上端まで開口され、下端はランプ21の発光部33よりも上方に配置されている。
【００４８】
各取付片97は、反射面部94の上端からカバー23の中心側へ向けて彎曲する彎曲部98、およびこの彎曲部98の上端から上方に延設される取付部99が形成されており、取付部99の内周面には、ランプ取付用アダプタ22の雄ねじ48に螺合する雌ねじ100のねじ山101が１ピッチ分だけ形成されている。
【００４９】
嵌合部95の内径つまりカバー23の中心を通じて互いに対向する取付片97の取付部99の内径は、ランプ取付用アダプタ22の雄ねじ48のねじ山49の外径と同程度か少し小さく形成されている。
【００５０】
次に、照明器具11の施工について説明する。
【００５１】
まず、ランプ取付用アダプタ22を引掛シーリング13に取り付ける。すなわち、ランプ取付用アダプタ22を押し上げて、ランプ取付用アダプタ22の一対の引掛爪67を引掛シーリング13の一対の接続孔15の幅広部に下方から挿入した後、ランプ取付用アダプタ22を取付方向（図３の時計回り方向）に所定角度回動させることにより、ランプ取付用アダプタ22の一対の引掛爪67が接続孔15の縁部に引っ掛かるとともに接続孔15の内側に配置されている端子に電気的に接続させる。このとき、ランプ取付用アダプタ22の外周面には平坦部50が形成されているため、ランプ取付用アダプタ22を回動させる際に手が滑るのを防止でき、回動操作しやすい。
【００５２】
また、ランプ取付用アダプタ22を押し上げると、ロック爪69が引掛シーリング13の下面に当接するため、ロック爪69が押し下げられてランプ取付用アダプタ22に埋没する。この埋没状態のまま、ランプ取付用アダプタ22が引掛シーリング13に対する所定の取付位置まで取付方向に回動されると、ロック爪69が接続孔15の幅広部の下方に移動し、ロック爪69が上方に突出して接続孔15内に差し込まれ、ランプ取付用アダプタ22が取付方向に対して反対の取外し方向（図３の反時計回り方向）に回動するのを阻止する。
【００５３】
続いて、カバー23の嵌合部95の上端をランプ取付用アダプタ22の周囲にあてがい、カバー23を押し上げることにより、嵌合部95をランプ取付用アダプタ22の周囲に被せていく。このカバー23の押し上げ途中で、嵌合部95の雌ねじ100のねじ山101がランプ取付用アダプタ22の雄ねじ48のねじ山49の下側に当接するが、嵌合部95を構成する各取付片97が径方向外側へ弾性変形可能であるため、雌ねじ100のねじ山101が雄ねじ48のねじ山49を乗り越えてそのねじ山49の上側に嵌り込む。
【００５４】
このようにして、カバー23を外側カバー91の上端が設置面12に当接して止まるまで押し上げる。外側カバー91の上端が設置面12に当接して止まったら、カバー23を取付方向（図３の時計回り方向）に回動させ、ランプ取付用アダプタ22の雄ねじ48とカバー23の雌ねじ100との螺合により、外側カバー91の上端が設置面12に圧着して固定されるように締め付ける。
【００５５】
続いて、ランプ21をカバー23の内側に挿入し、ランプ21の一対のランプピン31をランプ取付用アダプタ22の一対の接続孔84の幅広部に下方から差し込み、ランプ21を取付方向（図３の時計回り方向）に所定角度回動させることにより、ランプ21の一対のランプピン31の径大部32が接続孔84の縁部に引っ掛かるとともに接続孔84の内側に配置されている端子に電気的に接続される。
【００５６】
このように、施工時において、カバー23は、ランプ取付用アダプタ22の雄ねじ48に螺合する雌ねじ100が設けられた複数の取付片97が径方向外側に弾性変位可能とするため、ランプ取付用アダプタ22に対してカバー23を押し上げるだけで、複数の取付片97が押し広げられながら雌ねじ100がランプ取付用アダプタ22の雄ねじ48に螺合でき、カバー23のワンタッチ取付が可能となり、施工性を向上できる。
【００５７】
また、カバー23の内側カバー92に複数の取付片97を設けたため、引掛シーリング13およびランプ取付用アダプタ22とともに取付片97も露出せず、外観を向上できる。
【００５８】
そして、引掛シーリング13からランプ取付用アダプタ22を通じてランプ21に給電することにより、ランプ21のＬＥＤが発光し、発光部33である透光性カバー28から光を放出する。
【００５９】
このとき、カバー23のスリット96の下端をランプ21の発光部33よりも上方位置に設けたため、スリット96から外側カバー91の内側へ向けて光が出るのを少なくし、外側カバー91の上端と設置面12との間からの光漏れを低減できる。
【００６０】
また、ランプ21を取り外す場合には、ランプ21を取外し方向（図３の反時計回り方向）に所定角度回動させた後に、下方へ移動させることにより、ランプ21をランプ取付用アダプタ22から取り外す。
【００６１】
また、照明器具11を引掛シーリング13から取り外す場合には、まず、ランプ21を取り外した状態で、カバー23を取外し方向（図３の反時計回り方向）に回動させ、カバー23の雌ねじ100とランプ取付用アダプタ22の雄ねじ48との螺合によってカバー23が下方に移動し、カバー23をランプ取付用アダプタ22から外す。
【００６２】
続いて、ランプ取付用アダプタ22の解除ボタン70を操作し、ロック爪69を引掛シーリング13の接続孔15から強制的に退避させた状態で、ランプ取付用アダプタ22を取外し方向（図３の反時計回り方向）に所定角度回動させた後に、下方へ移動させることにより、ランプ取付用アダプタ22を引掛シーリング13から取り外す。
【００６３】
なお、カバー23の取付片97は、６つ設けた場合を示したが、少なくとも円周方向の互いに対向する箇所に２つ設けられていれば、ランプ取付用アダプタ22に対して取り付けることができるが、好ましくは、３つに設けることによってランプ取付用アダプタ22に対する取り付けが安定し、３つよりも多く設けることによってランプ取付用アダプタ22に対する取り付けがより安定する。
【００６４】
次に、図４に第２の実施の形態を示す。
【００６５】
ランプ取付用アダプタ22の雄ねじ48のねじ山49が、そのねじ山49の上側の面49uが水平な断面形状に形成されている。
【００６６】
このように構成することにより、ランプ取付用アダプタ22の雄ねじ48のねじ山49に対してカバー23の雌ねじ100のねじ山101が引っ掛かり、カバー23の雌ねじ100が外れにくくなるため、カバー23を確実に保持できる。
【００６７】
なお、カバー23の雌ねじ100のねじ山101についても、そのねじ山101の下側の面が水平な断面形状に形成すれば、ランプ取付用アダプタ22に対してカバー23をより確実に保持できる。
【００６８】
次に、図５および図６に第３の実施の形態を示す。
【００６９】
複数の取付片97の雌ねじ100は、ランプ取付用アダプタ22の雄ねじ48の高さ方向に異なるピッチの位置のねじ山49にそれぞれ螺合するように、高さ方向に異なるピッチの位置に設けられている。
【００７０】
例えば、６つの取付片97のうち、互いに対向する三組の取付片97a，97b，97cとし、図６(a)に示すように、取付片97aには、雄ねじ48の最も低い位置のねじ山49aに螺合するようにねじ山101aが設けられ、また、図６(b)に示すように、取付片97bには、雄ねじ48の最も低い位置のねじ山49aより１ピッチ分上方の位置のねじ山49bに螺合するようにねじ山101bが設けられ、また、図６(c)に示すように、取付片97cには、雄ねじ48の最も低い位置のねじ山49aより２ピッチ分上方の位置のねじ山49cに螺合するようにねじ山101cが設けられている。
【００７１】
このように構成することにより、振動などの影響でカバー23がランプ取付用アダプタ22に対して螺合が緩む方向に回動するのを防止でき、さらに、カバー23を押し上げてランプ取付用アダプタ22に取り付ける際に比較的軽い力で操作でき、設置面12からの高さの異なる種類の引掛シーリング13に取り付けられるランプ取付用アダプタ22の雄ねじ48に対して少なくともいずれかの取付片97の雌ねじ100を確実に螺合させることができる。
【符号の説明】
【００７２】
11    照明器具
13    引掛シーリング
21    ランプ
22    ランプ取付用アダプタ
23    カバー
48    雄ねじ
49    ねじ山
49u   面
97    取付片
100   雌ねじ
101a，101b，101c    ねじ山
【図１】
2011154888.tif 000003
【図２】
2011154888.tif 000004
【図３】
2011154888.tif 000005
【図４】
2011154888.tif 000006
【図５】
2011154888.tif 000007
【図６】
2011154888.tif 000008